(57)【特許請求の範囲】
【請求項１】
物体３によって反射され、あるいは、透明な物体を透過した放射線の位相角を直接測定する方法であって、
前記物体３に、あらかじめ定められた周波数を有するコヒーレントな放射線２を照射し、あるいは、前記物体３を、放射線を拡散的に反射する粒子を含むラッカーによって被覆して、前記物体３に、あらかじめ定められた周波数を有する非コヒーレントな放射線２を照射し、
前記物体３から反射された放射線あるいは前記物体３を透過した放射線を、画像形成光学システム６によって、センサ８が位置しているイメージ平面７内に、画像化し、
シアリング光学要素１０、１６、１７、２２、２３、２４、２５を用いて、シアリング法によって生成された参照放射線を、前記センサ８上に重ね合わせ、
前記物体３からの放射線５の位相を、前記センサ８の測定信号から決定する方法において、
前記画像形成光学システム６が、１つのアパーチャーを有するダイアフラム１９、あるいは、２つのアパーチャーを有するダイアフラム１１を備え、
前記シアリング光学要素１０、１６、１７、２２、２３、２４、２５が、前記ダイアフラム１９、１１と前記センサ８の間に配置されていることを特徴とする位相角測定方法。
【請求項２】
前記放射線が光放射線であることを特徴とする請求項１に記載の位相角測定方法。
【請求項３】
前記ダイアフラム１９、１１が、１つのスリット２０または２つのスリット１２、１３を備えたことを特徴とする請求項１または２に記載の位相角測定方法。
【請求項４】
前記ダイアフラム１９が、スリット幅が調整可能な１つのスリットを有していることを特徴とする請求項１ないし３のいずれか１項に記載の位相角測定方法。
【請求項５】
前記ダイアフラム１９が、スリット幅が調整可能な１つの矩形状スリット２０を有していることを特徴とする請求項１ないし４のいずれか１項に記載の位相角測定方法。
【請求項６】
前記ダイアフラム１１が、２つの矩形状スリット１２、１３を有していることを特徴とする請求項１ないし３に記載のいずれか１項に記載の位相角測定方法。
【請求項７】
前記２つのスリット１２、１３の距離ａおよび／または前記２つのスリット１２、１３の幅ｂが、調整可能であることを特徴とする請求項６に記載の位相角測定方法。
【請求項８】
前記シアリング光学要素が、１つのくさび１４、２３、重ねられたくさび１６、２４、あるいは、２つの傾けられた平行プレート１７、１８、２５、２６を備えていることを特徴とする請求項１ないし７のいずれか１項に記載の位相角測定方法。
【請求項９】
前記１つのくさび、前記重ねられたくさびあるいは前記傾けられた平行プレートが、前記ダイアフラム１１、１９と、前記画像形成光学システム６の１つのもしくは複数のもしくはすべてのレンズ要素９との間に、位置していることを特徴とする請求項８に記載の位相角測定方法。
【請求項１０】
前記ダイアフラム１１、１９が、前記画像形成光学システム６の１つのもしくは複数のもしくはすべてのレンズ要素９と、前記１つのくさび、前記重ねられたくさびあるいは前記傾けられた平行プレートとの間に、位置していることを特徴とする請求項８または９に記載の位相角測定方法。
【請求項１１】
前記画像形成光学システムが、前記スリットの距離ａと前記スリットの幅ｂが等しくなるように、調整されたことを特徴とする請求項７ないし１０のいずれか１項に記載の位相角測定方法。
【請求項１２】
前記ダイアフラム１９の１つのアパーチャーまたは前記ダイアフラム１１の２つのアパーチャーと前記シアリング光学要素１０、１６、１７、２２、２３、２４、２５とによって生成された空間搬送周波数の周期が、前記センサ８の少なくとも２つの画素をカバーしていることを特徴とする請求項１ないし１１のいずれか１項に記載の位相角測定方法。
【請求項１３】
前記空間搬送周波数の周期が、前記センサ８の少なくとも３つの画素をカバーしていることを特徴とする請求項１２に記載の位相角測定方法。
【請求項１４】
前記空間搬送周波数の周期が、前記センサ８の少なくとも４つの画素をカバーしていることを特徴とする請求項１３に記載の位相角測定方法。
【請求項１５】
前記空間搬送周波数の周期が、前記センサ８の少なくとも５つの画素をカバーしていることを特徴とする請求項１４に記載の位相角測定方法。
【請求項１６】
物体によって反射され、あるいは、透明な物体を透過した放射線の位相角を直接測定する装置であって、
ある周波数のコヒーレントな放射線２を、前記物体３に発する放射線源１と、
１つのイメージ平面内に、前記物体３から反射された放射線５あるいは前記物体３を透過した放射線５の画像を形成する画像形成光学システム６と、
前記イメージ平面内に配置されたセンサ８と、
シアリング法にしたがって、参照放射線を生成するシアリング光学要素１０、１６、１７、２２、２３、２４、２５とを備えた位相角測定装置において、
前記画像形成光学システム６が、１つのアパーチャーを備えたダイアフラム１９または２つのアパーチャーを備えたダイアフラム１１を有し、
前記シアリング光学要素１０、１６、１７、２２、２３、２４、２５が、前記ダイアフラム１９、１１と前記センサ８の間に配置されていることを特徴とする位相角測定装置。
【請求項１７】
前記放射線が光放射線であることを特徴とする請求項１６に記載の位相角測定装置。
【請求項１８】
前記ダイアフラム１９または１１が、１つのスリット２０または２つのスリット１２、１３を備えたことを特徴とする請求項１６または１７に記載の位相角測定装置。
【請求項１９】
前記ダイアフラム１９が、スリット幅が調整可能な１つのスリットを備えていることを特徴とする請求項１６ないし１８のいずれか１項に記載の位相角測定装置。
【請求項２０】
前記ダイアフラム１９が、スリット幅が調整可能な１つの矩形状スリット２０を有していることを特徴とする請求項１９に記載の位相角測定装置。
【請求項２１】
前記ダイアフラム１１が、２つの矩形状スリット１２、１３を有していることを特徴とする請求項１６ないし１８のいずれか１項に記載の位相角測定装置。
【請求項２２】
前記２つのスリット１２、１３の距離ａおよび／または前記２つのスリット１２、１３の幅ｂが、調整可能であることを特徴とする請求項２１に記載の位相角測定装置。
【請求項２３】
前記シアリング光学要素が、１つのくさび１４、２３、重ねられたくさび１６、２４、あるいは、２つの傾けられた平行プレート１７、１８、２５、２６を備えていることを特徴とする請求項１６ないし２２のいずれか１項に記載の位相角測定装置。
【請求項２４】
前記１つのくさび、前記重ねられたくさびあるいは前記傾けられた平行プレートが、前記ダイアフラム１１、１９と、前記画像形成光学システム６の１つのもしくは複数のもしくはすべてのレンズ要素９との間に、位置していることを特徴とする請求項２３に記載の位相角測定装置。
【請求項２５】
前記ダイアフラム１１、１９が、前記画像形成光学システム６の１つのもしくは複数のもしくはすべてのレンズ要素９と、前記１つのくさび、前記重ねられたくさびあるいは前記傾けられた平行プレートとの間に、位置していることを特徴とする請求項２３または２４に記載の位相角測定装置。
【請求項２６】
前記画像形成光学システムが、前記スリットの距離ａと前記スリットの幅ｂが等しくなるように、調整されたことを特徴とする請求項２２ないし２５のいずれか１項に記載の位相角測定装置。
【請求項２７】
前記ダイアフラム１９の１つのアパーチャーまたは前記ダイアフラム１１の２つのアパーチャーと前記シアリング光学要素１０、１６、１７、２２、２３、２４、２５とによって生成された空間搬送周波数の周期が、前記センサ８の少なくとも２つの画素をカバーしていることを特徴とする請求項１６ないし２６のいずれか１項に記載の位相角測定装置。
【請求項２８】
前記空間搬送周波数の周期が、前記センサ８の少なくとも３つの画素をカバーしていることを特徴とする請求項２７に記載の位相角測定装置。
【請求項２９】
前記空間搬送周波数の周期が、前記センサ８の少なくとも４つの画素をカバーしていることを特徴とする請求項２８に記載の位相角測定装置。位相角測定装置。
【請求項３０】
前記空間搬送周波数の周期が、前記センサ８の少なくとも５つの画素をカバーしていることを特徴とする請求項２９に記載の位相角測定装置。
【発明の詳細な説明】
【０００１】
【産業上の利用分野】
本発明は、物体によって反射され、あるいは、透明な物体を透過した放射線、とくに光の位相角を直接測定する方法に関するものであり、さらに、その方法を実施する装置に関するものである。
【０００２】
【従来の技術】
放射線、とくに光の位相角を直接測定する方法および放射線、とくに光の位相角を直接測定する装置が、ヨーロッパ特許出願ＥＰ０４１９９３６Ｂ１によって知られている。この公知の方法においては、物体に、あらかじめ定められた周波数のコヒーレントな放射線が照射される。物体は拡散的に反射させる表面を有していることができる。しかしながら、物体は、透明もしくは部分的に透明な物体であっても、または、放射線が透過可能な透明な媒体であってもよい。さらに、物体は、放射線を拡散的に反射する粒子が混合されたラッカー被覆を有していてもよい。この場合には、方法を実施するために、あらかじめ定められた周波数の非コヒーレントな（非干渉性の）放射線を用いれば十分である。物体から反射された放射線または物体もしくは透明な媒体を透過した放射線は、画像形成光学システムによって、センサが配置されたイメージ平面上に、画像化される。問題のセンサは、好ましくは、表面センサである。センサは、好ましくは、規則正しく、配置された複数の画素を有していることが好ましい。好ましくは、複数の画素は、平行なラインに沿って、ラインによって、規則正しく、配置され、互いに、等しい間隔を有している。ＣＣＤセンサが、とくに好適である。
【０００３】
ヨーロッパ特許出願ＥＰ０４１９９３６Ｂ１の実施態様においては、シアリング法によって生成された参照放射線は、センサ上に、重ね合わされる。この参照放射線は、光学くさびあるいはプリズムなどのシアリング光学系によって生成される。ヨーロッパ特許出願ＥＰ０４１９９３６Ｂ１の実施態様においては、光学くさびあるいはプリズムは、レンズの前に配置されている。光学くさびあるいはプリズムは、レンズあるいは画像形成光学システムのアパーチャーの一部、好ましくは、半分をマスキングしている。物体からの放射線の位相、すなわち、物体によって反射され、あるいは、物体を透過した放射線の位相は、センサあるいはセンサ要素（画素）の測定信号あるいは強度信号から決定される。
【０００４】
ヨーロッパ特許出願ＥＰ０４１９９３６Ｂ１によって既知の装置はまた、電子的スペックルパターン干渉計（ＥＳＰＩ）と呼ばれている。単一のショットで、完全な位相角測定を可能とするために、ヨーロッパ特許出願ＥＰ０４１９９３６Ｂ１においては、画像形成光学システムは、イメージ平面内の物体上の放射線によって生成されたスペックルのイメージが、少なくとも３つのセンサ要素を覆うように設計され、あるいは、調整されている。
【０００５】
【発明が解決しようとする課題】
ドイツ特許出願公開ＤＥ１９５１３２３３Ａ１から、放射線、とくに、光の位相および位相差を決定する方法および装置が知られている。この方法においては、少なくとも２つの状態において、対象物に、あらかじめ定められた周波数を有するコヒーレントな放射線あるいは部分的にコヒーレントな放射線によって、照射される。それぞれの状態において、対象物によって反射され、あるいは、対象物を透過した放射線は、画像形成光学システムによって、複数の好ましくは規則的に配列されたセンサ要素あるいは画素を有するセンサが位置しているイメージ平面内に、画像化される。所望の周波数、好ましくは、同一の周波数と、所望の位相位置を有する参照放射線が、センサ上に、重ね合わされる。２つの状態間における対象物によって反射され、あるいは、対象物を透過した放射線の位相差が、センサ要素あるいは画素からの強度信号によって、決定される。対物ビームおよび参照ビームは、ここでは、それらが、好ましくは、一定の空間搬送周波数と干渉パターンを生成するように調整される。ドイツ特許出願公開ＤＥ１９５１３２３３Ａ１にかかる方法および装置は、対象物の各状態毎の１イメージショットで、高いイメージ解像力が実現されるように、ヨーロッパ特許出願ＥＰ０４１９９３６Ｂ１によって既知の方法および装置をさらに改良することを目的とするものである。ドイツ特許出願公開ＤＥ１９５１３２３３Ａ１によれば、この目的は、スペックルが発生したとき、放射線によって、イメージ平面内に生成されたスペックルのイメージが２つのセンサ要素あるいは画素のまわりのみを覆うように、画像形成光学システムを設計し、あるいは、調整することによって達成される。２つのセンサ要素あるいは画素のまわりのみから、各々の場合に、それぞれの状態に対して記録される強度値は、位相差を決定するために、交互に、斟酌される。位相差に加えて、これらの少なくとも２つのショットから、位相、コントラストおよびバックグラウンドの明るさを算出することができる。ドイツ特許出願公開ＤＥ１９５１３２３３Ａ１によれば、対物放射線から、シアリング法によって、参照放射線を生成することができる。ドイツ特許出願公開ＤＥ１９５１３２３３Ａ１にかかる方法は、一般に実行可能ではあるが、その方法によれば、実質的に多くのノイズが生ずるという結果を招く。Ｓ／Ｎ比は、ヨーロッパ特許出願ＥＰ０４１９９３６Ｂ１にかかる方法の場合よりも、悪くなる。
【０００６】
したがって、本発明は、物体によって反射され、あるいは、透明な物体を透過した放射線、とくに光の位相角を直接測定する方法および装置であって、改良された位相角測定方法および位相角測定方法装置を提供することを目的とするものである。
【０００７】
【課題を解決するための手段】
本発明によれば、本発明のかかる目的は、物体によって反射され、あるいは、透明な物体を透過した放射線の位相角を直接測定する方法であって、前記物体に、あらかじめ定められた周波数を有するコヒーレントな放射線を照射し、あるいは、前記物体を、放射線を拡散的に反射する粒子を含むラッカーによって被覆して、前記物体に、あらかじめ定められた周波数を有する非コヒーレントな放射線を照射し、前記物体から反射された放射線あるいは前記物体を透過した放射線を、画像形成光学システムによって、センサが位置しているイメージ平面内に、画像化し、シアリング光学要素を用いて、シアリング法によって生成された参照放射線を、前記センサ上に重ね合わせ、前記物体からの放射線の位相を、前記センサの測定信号から決定する位相角測定方法であって、前記画像形成光学システムが、アパーチャー、好ましくは、スリットを有するダイアフラム、あるいは、２つのアパーチャー、好ましくは、２つのスリットを有するダイアフラムを備え、前記シアリング光学要素が、前記ダイアフラムと前記センサの間に配置されていることを特徴とする位相角測定方法によって達成される。
【０００８】
本発明によれば、ダイアフラムの１または２のアパーチャーとシアリング光学システムによって、空間搬送周波数を生成することが可能になる。
【０００９】
ダイアフラムは、１つのスリット、好ましくは、１つの矩形状のスリットを有していてもよい。スリットの幅が調整可能であると、好ましい。好ましくは、スリットは、矩形変調ダイアフラムである。
【００１０】
しかしながら、ダイアフラムはまた、２つのスリットを有するように設計することもできる。ダイアフラムは、好ましくは、２つの矩形状スリットを有している。好ましくは、互いに、ａの距離に配置された２つのスリットは等しい幅ｂを有している。スリットの距離ａおよび／または幅ｂが、調整可能であると、さらに好ましい。
【００１１】
シアリング法にしたがって、前記参照放射線を生成するのに用いられる前記シャーリング光学システムが、１つのくさび、重ねられたくさび、あるいは、２つの傾けられた平行プレートを備えていてもよい。しかしながら、シアリング効果を生成するために、他の光学的要素を用いることもできる。
【００１２】
シアリング効果を生成するための１つのくさび、重ねられたくさび、傾けられた平行プレート、あるいは、他の光学的要素を、前記ダイアフラムと、前記画像形成光学システムの１つのもしくは複数のもしくはすべてのレンズ要素または他の光学的要素との間に、位置させることができる。これに代えて、あるいは、これに加えて、前記ダイアフラムを、前記画像形成光学システムの１つのもしくは複数のもしくはすべてのレンズ要素または他の光学的要素と、シアリング効果を生成するための前記１つのくさび、前記重ねられたくさび、前記傾けられた平行プレート、あるいは、前記他の光学的要素との間に、位置させることができる。
【００１３】
本発明のとくに好ましい実施態様においては、前記スリットの距離ａが、前記スリットの幅ｂと等しいサイズとなるように、前記画像形成光学システムが調整されている。この構成は、２つのスリット（「ダブルアパーチャー」）を有する実施態様において使用可能であるだけでなく、単一のスリットのみが設けられた実施態様においても、使用することができる。後者の場合は、センサが、２つのスリットを「見る」画像形成光学システムによって達成される。
【００１４】
２つのスリット（ダブルスリット）あるいは２つのアパーチャー（ダブルアパーチャー）を有するダイアフラム（図２参照）あるいはフレネル複プリズムの干渉によって生成された空間搬送周波数は、干渉回折効果が、つねに同時に生じ、互いに干渉し合うため、一定周期を有しておらず、コントラストが劣っている。フラウンホーファー回折によるダブルスリットの干渉分布は、以下の式（１）ないし式（３）によって、与えられる。
【００１５】
Ｉ（θ）＝４Ｉ０［（ｓｉｎ２β／（β２）］ｃｏｓ２α         （１）
α＝（ｋａ／２）ｓｉｎθ                                  （２）
β＝（ｋｂ／２）ｓｉｎθ                                  （３）
これらの式によってカバーされる対象物およびその中で生ずる値は、図６に示されている。前記式において、
Ｉ＝強度
θ＝角度
ｋ＝第一、第二、第三、・・…干渉最小値
ａ＝スリットの距離
ｂ＝スリットの幅
である。
【００１６】
前述した好ましい実施態様によれば、
ａ＝ｂ
であり、その結果、
α＝β
となり、式（１）は、次式（１’）に書きかえられる。
【００１７】
Ｉ（θ）＝４Ｉ０［（ｓｉｎ２（２α）／（２α２）］          （１’）
これから、干渉および回折によって生成された搬送周波数は、ａとｂが等しくないときは、一定でなく、ａ＝ｂとすることによって、一定周期を有する均一に分布された空間周波数となることがわかる。項２αから、周波数は２倍になっていることがわかる。ａ＝ｂとすることによって、はるかに優れたコントラストを有する一定の搬送周波数が、センサあるいはＣＣＤチップにおいて、生成されるという事実から、大きな改良を実現することができる。この搬送周波数は、センサあるいはＣＣＤチップのライン（水平ライン）あるいはコラム（垂直コラム）内において、生成することができる。しかしながら、この搬送周波数は、中間角度で、生成することもでき、それによって、センサあるいはＣＣＤチップを、ある角度に傾けて、配置することが可能になる。
【００１８】
本発明の別の好ましい実施態様においては、搬送周波数の周期が、センサの少なくとも３つの画素をカバーしていると、すなわち、ヨーロッパ特許出願ＥＰ０４１９９３６Ｂ１あるいはそれに開示された装置にしたがって、実施されると、好ましい。これにしたがえば、単一のショットで、完全な位相角測定をすることが可能になる。
【００１９】
本発明の別の好ましい実施態様においては、搬送周波数の周期は、センサの少なくとも４つの画素をカバーしている。このようにすることによって、コンピュータアルゴリズムを大幅に簡易化することが可能になる。
【００２０】
搬送周波数の周期が、センサの少なくとも５つの画素をカバーしていると、精度の一層の向上が実現される。
【００２１】
１つのラインあるいはコラム内の搬送周波数の周期は、シアリング光学システムあるいはシャー幅とは無関係に、変調ダイアフラムのアパーチャーのサイズによって、きわめて正確に調整することができる。シアリング光学システムあるいはシャー幅は、センサの画素の好ましい最小数がカバーされるように、調整される。
【００２２】
本発明の前記目的はまた、物体によって反射され、あるいは、透明な物体を透過した放射線の位相角を直接測定する装置であって、ある周波数のコヒーレントな放射線を、前記物体に発する放射線源と、１つのイメージ平面内に、前記物体から反射された放射線あるいは前記物体を透過した放射線の画像を形成する画像形成光学システムと、前記イメージ平面内に配置されたセンサと、シアリング法にしたがって、参照放射線を生成するシアリング光学要素とを備えた位相角測定装置において、前記画像形成光学システムが、１つのアパーチャー、好ましくは、１つのスリットを備えたダイアフラムまたは２つのアパーチャー、好ましくは、２つのスリットを備えたダイアフラムを有し、前記シアリング光学要素が、前記ダイアフラムと前記センサの間に配置されていることを特徴とする位相角測定装置によって達成される。
【００２３】
【発明の好ましい実施の形態】
以下、添付図面に基づいて、本発明の好ましい実施態様につき、詳細に説明を加える。これによって、本発明の詳細および効果が明らかになるであろう。
【００２４】
図１は、シアリング光学システムを備えた本発明の好ましい実施態様にかかる光の位相角を直接測定する装置を示す図面である。
【００２５】
図１に示されるように、光の位相角を直接測定する装置は、放射線源１を備えており、あらかじめ定められた周波数のコヒーレントな光（レーザ光）２が、放射線源１から、拡散的に反射する表面４を有した物体３上に、照射される。
【００２６】
物体３の表面４によって反射された放射線５は、画像形成光学システム６によって、イメージ平面７内に、画像化される。イメージ平面７内には、たとえば、ＣＣＤセンサなどの規則的に配置された複数のセンサ要素を備えたセンサ８が配置されている。
【００２７】
光学くさび１０あるいはプリズムが、画像形成光学システム６のレンズ要素９の前面に、画像形成光学システム６の上半分を覆うように、設けられている。光学くさび１０により、参照光が、シアリング方法にしたがって、生成される。シアリング効果を生成するために、光学くさび１０に代えて、他の光学要素を使用してもよい。
【００２８】
図１に示された装置の基本構成およびそれによって、実施可能な方法は、ヨーロッパ特許出願０４１９９３６Ｂ１によって知られている。図示されていないデバイスがセンサ８に接続され、そのデバイスによって、物体３あるいはその表面４から反射された放射線５の位相が、センサ８の測定信号あるいは強度信号から決定される。
【００２９】
本発明によれば、画像形成光学システムは、１または２のアパーチャーあるいはスリットが形成されたダイアフラムを有している。そのような画像形成光学システムの例が、図２、図５および図７に示されている。そこでは、その画像形成光学システムが、図１に示された装置の画像形成光学システム６に置きかえられている。
【００３０】
図２ないし図４は、２つのスリットを有する他のシアリング光学システムを示す図面である。
【００３１】
図２ないし図４に示されるように、各画像形成光学システムは、それぞれ、２つのアパーチャー、好ましくは、２つのスリットを有するダイアフラムを有している。２つのスリットを有するダイアフラム１１の例が、図４に示されている。２つのスリットを有するダイアフラム１１は、長さがｌ（エル）で、幅がｂの第一の矩形状スリット１２と、同じく、長さがｌで、幅がｂの第二の矩形状スリット１３を有している。第二の矩形状スリット１３は、第一のスリット１２から、ａの距離に設けられ、第一のスリット１２と平行である。
【００３２】
図２に示された実施態様においては、画像形成光学システム６は、２つのスリットを有するダイアフラム１１と画像形成光学システム６のレンズ要素９との間に位置するくさび１４を備えている。くさび１４は、第一のスリット１２の領域内に設けられている。第一のスリット１２を通過した光は、くさび１４を通過して、さらに、レンズ要素９を通過する。第二のスリット１３を通過した光は、くさび１４を通過せず、直接に、レンズ要素９に入射する。くさび１４の先端部は、第一のスリット１２と第二のスリット１３との間の領域内に位置し、好ましくは、画像形成光学システム６の中央軸１５上に位置している。光は、図２から明らかなように、外側方向に、すなわち、画像形成光学システム６の長手方向中央軸１５から、距離が増大する方向に、拡げられる。
【００３３】
図３に示された実施態様においては、複プリズム１６が、２つのスリットを有するダイアフラム１１と画像形成光学システム６のレンズ要素９との間に設けられている。複プリズム１６の先端部は、第一のスリット１２と第二のスリット１３との間の領域内に位置している。複プリズム１６の先端部は、好ましくは、画像形成光学システム６の中央軸あるいは長手方向中央軸１５上に配置される。複プリズム１６の厚さが、外側方向に、すなわち、画像形成光学システム６の長手方向中央軸１５あるいは長手方向中央面から離れる方向に向かって、減少するように、複プリズム１６が構成されている。
【００３４】
図４に示された実施態様においては、２つの傾いた平行プレート１７、１８が、２つのスリットを有するダイアフラム１１と画像形成光学システム６のレンズ要素９との間に設けられている。平行プレート１７、１８の入射表面と射出表面とは互いに平行で、通過するビームは、平行に移動されるだけである。第一の平行プレート１７は、第一のスリット１２の領域内にあり、第二の平行プレート１８は、第二のスリット１３の領域内にある。平行プレート１７、１８は、２つのスリットを有するダイアフラム１１から、対応する平行プレートまでの距離が、外側方向に向かって、すなわち、画像形成光学システム６の長手方向中央軸１５あるいは長手方向中央面からの距離が増大する方向に向かって、増大するように、画像形成光学システム６の長手方向中央軸あるいは長手方向中央面１５に対して、傾けられている。
【００３５】
図５は、単一のスリットとフレネル複プリズムを有する画像形成光学システムを示す図面である。
【００３６】
図５に示されるように、本実施態様にかかる画像形成光学システム６は、フレネル複プリズム２１とともに、アパーチャーあるいはスリットあるいは単一のスリット２０を有するダイアフラム１９を有している。単一のスリットを有するダイアフラム１９は、画像形成光学システム６のレンズ要素９とフレネル複プリズム２１との間に、位置している。画像形成光学システム６の長手方向中央軸あるいは長手方向中央面１５が、アパーチャーあるいは単一のスリット２０の中央を通り、さらに、フレネル複プリズム２１の先端部を通るように、各要素が配置されている。フレネル複プリズム２１の入射表面は平面であり、画像形成光学システム６の長手方向中央軸１５に直交している。フレネル複プリズム２１の射出表面は、ダイアフラム１９と対応する射出表面の間の距離が、画像形成光学システム６の長手方向中央軸１５からの距離が増大するにつれて、減少するように、画像形成光学システム６の長手方向中央軸あるいは長手方向中央面１５に対して、傾けられている。
【００３７】
図６は、２つのスリットを有するダイアフラムを示す図面である。
【００３８】
図１０には、単一のスリットを有するダイアフラムの実施態様が図示されている。ダイアフラム１９は、幅ｂが可変の矩形状スリット２０を有している（幅ｂが可変であることは、図１０には図示されていない）。
【００３９】
図７ないし図９は、それぞれが、単一のスリット１５を有する単一スリットダイアフラム１９とレンズ要素９を備え、単一スリットダイアフラム１９とレンズ要素９との間に、シアリング効果を生成する光学要素が設けられた画像形成光学システムの他の実施態様を示す図面である。
【００４０】
図７に示された実施態様においては、光学くさび２３が、単一スリットダイアフラム１９とレンズ要素９の間に設けられており、図２の光学くさび１４の配置に対して、光学くさび２３は１８０度にわたって、回転され、画像形成光学システム６の長手方向中央軸１５に延びている。光学くさび２３の厚さは、画像形成光学システム６の長手方向中央軸１５からの距離が増大するにつれて、減少するように構成されている。
【００４１】
図８に示された実施態様においては、複プリズム２４が、単一スリットダイアフラム１９とレンズ要素９との間に設けられている。この実施態様は、図３に示された実施態様に対応するものであるので、図３についての記載を参照されたい。
【００４２】
図９に示された実施態様においては、２つの傾いた平行プレート２５、２６が、単一スリットダイアフラム１９とレンズ要素９との間に設けられている。この実施態様はは、図４に示された実施態様に対応するものであるので、図４についての記載を参照されたい。
【００４３】
画像形成光学システムは、次式（２）および（３）において、ａ＝ｂとし、次式（１）が式（１’）に書き換えられるように、調整されることが好ましい。
【００４４】
Ｉ（θ）＝４Ｉ０［（ｓｉｎ２β／（β２）］ｃｏｓ２α         （１）
α＝（ｋａ／２）ｓｉｎθ                                  （２）
β＝（ｋｂ／２）ｓｉｎθ                                  （３）
Ｉ（θ）＝４Ｉ０［（ｓｉｎ２（２α）／（２α２）］          （１’）
この場合には、回折と干渉が調和される。回折と干渉は、互いに増幅し合い、より良好な画質が得られる。図７ないし図９に示される光学要素のため、センサが、物理的に存在する単一のスリットではなく、２つのスリットを「見る」ことを実現することができる。
【００４５】
本発明にかかる方法および本発明にかかる装置は、引張力の値およびひずみの値を測定するのに、用いることができる。本発明にかかる方法および本発明にかかる装置は、とくに、非破壊検査あるいは非破壊材料検査、とりわけ、複合材料やタイヤの非破壊検査あるいは非破壊材料検査に好適である。
本発明は、以上の実施態様に限定されることなく、特許請求の範囲に記載された発明の範囲内で種々の変更が可能であり、それらも本発明の範囲内に包含されるものであることはいうまでもない。
【００４６】
【発明の効果】
本発明によれば、物体によって反射され、あるいは、透明な物体を透過した放射線、とくに光の位相角を直接測定する方法および装置であって、改良された位相角測定方法および位相角測定方法装置を提供することが可能となる。
【図面の簡単な説明】
【図１】  図１は、シアリング光学システムを備えた本発明の好ましい実施態様にかかる光の位相角を直接測定する装置を示す図面である。
【図２】  図２は、２つのスリットを有する他のシアリング光学システムを示す図面である。
【図３】  図３は、２つのスリットを有する他のシアリング光学システムを示す図面である。
【図４】  図４は、２つのスリットを有する他のシアリング光学システムを示す図面である。
【図５】  図５は、単一のスリットとフレネル複プリズムを有する画像形成光学システムを示す図面である。
【図６】  図６は、２つのスリットを有するダイアフラムを示す図面である。
【図７】  図７は、単一のスリットを有する単一スリットダイアフラムとレンズ要素を備え、単一スリットダイアフラムとレンズ要素との間に、シアリング効果を生成する光学要素が設けられた画像形成光学システムの他の実施態様を示す図面である。
【図８】  図８は、単一のスリットを有する単一スリットダイアフラムとレンズ要素を備え、単一スリットダイアフラムとレンズ要素との間に、シアリング効果を生成する光学要素が設けられた画像形成光学システムの他の実施態様を示す図面である。
【図９】  図９は、単一のスリットを有する単一スリットダイアフラムとレンズ要素を備え、単一スリットダイアフラムとレンズ要素との間に、シアリング効果を生成する光学要素が設けられた画像形成光学システムの他の実施態様を示す図面である。
【図１０】  図１０は、単一のスリットを有するダイアフラムを示す図面である。
【図１】
0004505090.tif 000002
【図２】
0004505090.tif 000003
【図３】
0004505090.tif 000004
【図４】
0004505090.tif 000005
【図５】
0004505090.tif 000006
【図６】
0004505090.tif 000007
【図７】
0004505090.tif 000008
【図８】
0004505090.tif 000009
【図９】
0004505090.tif 000010
【図１０】
0004505090.tif 000011